(57)【要約】【課題】ロジック回路部と画素アレイ部に安定した電力を供給することが可能な電気光学装置および電子機器を提供することを目的とする。【解決手段】ロジック回路部（走査線駆動回路１０１およびデータ線駆動部２０２）は、引き回し配線１０６，１０７に接続されており、この引き回し配線１０６，１０７は、第１プラス側端子ＶＬＯＧ，第１マイナス側端子ＧＮＤＬを介して、外部の電源に接続されている。また、画素アレイ部１０１は、引き回し配線１０８，１０９に接続されており、この引き回し配線１０８、１０９は、第２プラス側端子ＶＰＩＸ，第２マイナス側端子ＧＮＤＰを介して、外部の電源に接続されている。【選択図】        図１
2005227336.tif 000002
【特許請求の範囲】
【請求項１】
発光素子を含む複数の画素回路がマトリクス状に配置された画素アレイ部と、前記複数の画素回路を駆動するためのロジック回路部とを有する電気光学装置において、
前記画素アレイ部と前記ロジック回路部とは、異なる電源入力端子に各々接続された異なる引き回し配線を介して電力がそれぞれ供給されることを特徴とする電気光学装置。
【請求項２】
前記画素アレイ部は、
前記画素アレイ部の行方向に沿って配列された画素回路群にそれぞれ接続された複数の走査線と、
前記画素アレイ部の列方向に沿って配列された画素回路群にそれぞれ接続された複数のデータ線と、
前記画素アレイ部の列方向に沿って配列された画素回路群にそれぞれ接続された複数の電源線と、
を含み、
前記複数の電源線は、一方の前記引き回し配線に接続されていることを特徴とする請求項１に記載の電気光学装置。
【請求項３】
前記ロジック回路部は、
前記複数の走査線に接続され、前記表示マトリクス部の１つの行を選択するための走査線駆動回路と、
前記発光素子の発光の階調に応じたデータ信号を生成して、前記複数のデータ線のうち少なくとも１つのデータ線上に出力するデータ線駆動回路と、
を含むことを特徴とする請求項２に記載の電気光学装置。
【請求項４】
前記走査線駆動回路と前記データ線駆動回路とは、異なる電源入力端子に各々接続される引き回し配線を介して電力がそれぞれ供給されることを特徴とする電気光学装置。
【請求項５】
前記電源入力端子は、プラス側端子とマイナス側端子を有し、当該プラス側端子と当該マイナス側端子にはそれぞれ引き回し配線が接続されており、前記プラス側端子に接続される引き回し配線と前記マイナス側端子に接続された引き回し配線間に、静電気防止用の静電保護回路部を接続したことを特徴とする請求項１〜請求項４のいずれか１つに記載の電気光学装置。
【請求項６】
前記異なる電源入力端子のプラス側端子にそれぞれ接続される引き回し配線間に、静電気防止用の静電保護回路部を接続したことを特徴とする請求項１〜請求項５のいずれか１つに記載の電気光学装置。
【請求項７】
前記異なる電源入力端子に各々接続される引き回し配線の幅を、当該引き出し配線に流れる電流の大きさに応じて、異ならせたことを特徴とする請求項１〜請求項６のいずれか１つに記載の電気光学装置。
【請求項８】
前記発光素子は、有機ＥＬ素子であることを特徴とする請求項１〜請求項７のいずれか１つに記載の電気光学装置。
【請求項９】
請求項１〜請求項８のいずれか１つに記載の電気光学装置を搭載したことを特徴とする電子機器。
【発明の詳細な説明】
【技術分野】
【０００１】
本発明は、電気光学装置および電子機器に関し、詳細には、ロジック回路部と画素アレイ部に安定した電力を供給することが可能な電気光学装置および電子機器に関する。
【背景技術】
【０００２】
近年、従来のＬＣＤ（Ｌｉｑｕｉｄ  Ｃｒｙｓｔａｌ  Ｄｉｐｌａｙ）素子に代わる次世代の発光デバイスとして、有機ＥＬ（Ｅｌｅｃｔｏｒｏｎｉｃ  Ｌｕｍｉｎｅｓｃｅｎｃｅ）素子が注目されている。有機ＥＬ素子は、自発光型であるため視野角依存性が少なく、また、バックライトや反射光が不要であるために、低消費電力であるなど、表示パネルとして優れた特性を有している。
【０００３】
有機ＥＬ素子は、有機層を積層して機能分離することによって大幅に発光効率の改善がなされ、印加電圧が低電圧でも高輝度な発光を実現している。有機ＥＬ素子は、通常、基板／第一電極／有機物層／第二電極の構成を有する。有機物層は、少なくとも有機材料からなる発光層を含むが、素子特性向上のためにさらに複数の電荷輸送層を含むものが多い。このような有機ＥＬ装置に、電圧を印加すると、発光層に一方の電極から電子が注入されるとともに、他方の電極からホールが注入され、電子とホールの再結合により励起された有機分子が基底状態に緩和するときに発光が得られる。有機ＥＬ装置は、発光層全体から発光が得られるので、面状発光素子となり、素子の第一電極側又は第二電極側を通して光を取り出すことになる（例えば、特許文献１参照）。
【０００４】
図１０は、有機ＥＬ素子を駆動するための従来の駆動回路の概略構成を示す図である。同図において、９０１は画素アレイ部、９０２は走査線駆動回路、９０３はデータ線駆動回路、ＶＬＯＧは電源端子、ＧＮＤはグランド端子、９０４は電源端子ＶＬＯＧに接続された引き回し配線、９０５はグランド端子ＧＮＤに接続された引き回し配線を示している。
【０００５】
【特許文献１】特開平８−１８０９７２号公報
【発明の開示】
【発明が解決しようとする課題】
【０００６】
しかしながら、従来の駆動回路においては、走査線駆動回路９０２およびデータ線駆動回路９０３からなるロジック回路部と、画素アレイ部９０１に単一の電源入力端子（電源端子ＶＬＯＧ、グランド端子ＧＮＤ）から電力を供給しているため、例えば、画素アレイ部９０１において多大な電力が消費された場合に、ロジック回路部に印加される電源電圧が降下して、ロジック回路部の動作が不安定になるという問題がある。
【０００７】
本発明は、上記課題に鑑みてなされたものであり、ロジック回路部と画素アレイ部に安定した電力を供給することが可能な電気光学装置および電子機器を提供することを目的とする。
【課題を解決するための手段】
【０００８】
上述した課題を解決し、目的を達成するために、本発明は、発光素子を含む複数の画素回路がマトリクス状に配置された画素アレイ部と、前記複数の画素回路を駆動するためのロジック回路部とを有する電気光学装置において、前記画素アレイ部と前記ロジック回路部とは、異なる電源入力端子に各々接続された異なる引き回し配線を介して電力がそれぞれ供給されることを特徴とする。
【０００９】
これにより、ロジック回路部および画素アレイ部とで、独立に電源ライン系（電源入力端子および引き回し配線）を設けているので、一方の消費電力が大きい場合においても、他方に影響を与えることがなく、ロジック回路部および画素アレイ部に安定した電力を供給することができる。付言すると、例えば、画素アレイ部において多大な電力が消費されるような場合においても、ロジック回路部の電源電圧が降下して、回路が誤動作することを防止することができる。この結果、ロジック回路部と画素アレイ部に安定した電力を供給することが可能な電気光学装置を提供することができる。
【００１０】
また、本発明の好ましい態様によれば、前記画素アレイ部は、前記画素アレイ部の行方向に沿って配列された画素回路群にそれぞれ接続された複数の走査線と、前記画素アレイ部の列方向に沿って配列された画素回路群にそれぞれ接続された複数のデータ線と、前記画素アレイ部の列方向に沿って配列された画素回路群にそれぞれ接続された複数の電源線とを有し、前記複数の電源線は、一方の前記引き回し配線に接続されていることが望ましい。これにより、電源線に接続される画素回路に安定した電力を供給することができる。
【００１１】
また、本発明の好ましい態様によれば、前記ロジック回路部は、前記複数の走査線に接続され、前記表示マトリクス部の１つの行を選択するための走査線駆動回路と、前記発光素子の発光の階調に応じたデータ信号を生成して、前記複数のデータ線のうち少なくとも１つのデータ線上に出力するデータ線駆動回路と、を含むことが望ましい。これにより、走査線駆動回路およびデータ線駆動回路に安定した電力を供給することができる。
【００１２】
また、本発明の好ましい態様によれば、前記走査線駆動回路と前記データ線駆動回路とは、異なる電源入力端子に各々接続される引き回し配線を介して電力がそれぞれ供給されることが望ましい。これにより、走査線駆動回路およびデータ線駆動回路とで、独立に電源ライン系（電源入力端子および引き回し配線）を設けているので、一方の消費電力が大きい場合においても、他方に影響を与えることがなく、走査線駆動回路およびデータ線駆動回路に安定した電力を供給することができる。
【００１３】
また、本発明の好ましい態様によれば、前記電源入力端子は、プラス側端子とマイナス側端子を有し、当該プラス側端子と当該マイナス側端子にはそれぞれ引き回し配線が接続されており、前記プラス側端子に接続される引き回し配線と前記マイナス側端子に接続された引き回し配線間に、静電気防止用の静電保護回路部を接続することが望ましい。これにより、プラス側端子およびマイナス側端子の一方に接続される引き回し配線に静電気が生じた場合に、他方の引き回し配線に静電気が入力して、他方の引き回し配線に接続される回路が破壊されるのを防止することができる。
【００１４】
また、本発明の好ましい態様によれば、前記異なる電源入力端子のプラス側端子にそれぞれ接続される引き回し配線間に、静電気防止用の静電保護回路部を接続することが望ましい。これにより、一方のプラス側端子に接続される引き回し配線に静電気が生じた場合に、他方のプラス側端子に接続される引き回し配線に静電気が入力して、他方の引き回し配線に接続される回路が破壊されるのを防止することができ、より静電気による回路の破壊を防止することができる。
【００１５】
また、本発明の好ましい態様によれば、前記異なる電源入力端子に各々接続される引き回し配線の幅を当該引き出し配線に流れる電流の大きさに応じて、異ならせることが望ましい。これにより、引き出し配線に流れる電流の大きさが大きいほど、引き出し配線の幅を大きくすることにより、配線抵抗を小さくでき、引き回し配線による電位降化が小さくなり、より安定した電力を供給することができる。
【００１６】
また、本発明の好ましい態様によれば、前記発光素子は、有機ＥＬ素子であることが望ましい。これにより、有機ＥＬ素子を備えた電気光学装置において、ロジック回路部と画素アレイ部に安定した電力を供給することができる。
【００１７】
また、本発明の好ましい態様によれば、請求項１〜請求項８のいずれか１つに記載の電気光学装置を電子機器に搭載するのが望ましい。これにより、ロジック回路部と画素アレイ部に安定した電力を供給することが可能な電気光学装置を搭載した電子機器を提供することができる。
【発明を実施するための最良の形態】
【００１８】
以下に、この発明につき図面を参照しつつ詳細に説明する。本明細書において、「電気光学装置」とは、電気信号を光に変換する装置を言う。電気光学装置の最も普通の形態は、画像を表す電気信号を画像を表す光に変換する表示装置である。また、この実施例によりこの発明が限定されるものではない。また、下記実施例における構成要素には、当業者が容易に想定できるものまたは実質的に同一のものが含まれる。
【実施例１】
【００１９】
図１は実施例１に係る電気光学装置１００の概略構成を示す図である。電気光学装置１は、画素アレイ部１０１と、走査線駆動回路１０２と、データ線駆動部１０３と、第１電源入力端子１０４と、第２電源入力端子１０５とを有している。第１電源入力端子１０４は、第１プラス側端子ＶＬＯＧと、第１マイナス側端子ＧＮＤＬとで構成されている。また、第２電源入力端子１０５は、第２プラス側端子ＶＰＩＸと、第２マイナス側端子ＧＮＤＰで構成されている。第１プラス側端子ＶＬＯＧ、第１マイナス側端子ＧＮＤＬ、第２プラス側端子ＶＰＩＸ、および第２マイナス側端子ＧＮＤＰには、それぞれ引き回し配線１０６，１０７，１０８，１０９が接続されている。
【００２０】
電気光学装置１の各部はガラス等の基板上に搭載されている。画素アレイ部１０１の複数の画素回路を駆動するための回路をロジック回路部と称し、実施例１では、走査線駆動回路１０２およびデータ線駆動部１０３が、ロジック回路部に該当する。実施例１では、ロジック回路部を、走査線駆動回路１０２およびデータ線駆動部１０３としているが、コントローラ（マイクロプロセッサ）、画像処理回路、および画像メモリ等が基板に搭載される場合には、これらもロジック回路部に含まれる。
【００２１】
実施例１では、ロジック回路部（走査線駆動回路１０２およびデータ線駆動部１０３）および画素アレイ部１０１に安定した電力を供給するために、ロジック回路部と画素アレイ部１０１とで独立に電源入力端子を設けている。走査線駆動回路１０１およびデータ線駆動部２０２は、引き回し配線１０６，１０７に接続されており、この引き回し配線１０６，１０７は、第１プラス側端子ＶＬＯＧ，第１マイナス側端子ＧＮＤＬを介して、外部の電源に接続されている。また、画素アレイ部１０１は、引き回し配線１０８，１０９に接続されており、この引き回し配線１０８、１０９は、第２プラス側端子ＶＰＩＸ，第２マイナス側端子ＧＮＤＰを介して、外部の電源に接続されている。
【００２２】
図２は、図１の画素アレイ部１０１の内部構造を示す図である。画素アレイ部１０１は、マトリクス状に配列された複数の画素回路１１０を有しており、各画素回路１１０は、素子駆動回路と有機ＥＬ素子１２０をそれぞれ有している。有機ＥＬ素子１２０は、フォトダイオードと同様の電流注入型（電流駆動型）の発光素子であるので、ダイオードで図示している。画素回路１１０のマトリクスには、その列方向に沿って伸びる複数のデータ線Ｘｍ（ｍ＝１〜Ｍ）および電源線１５０と、行方向に沿って伸びる複数の走査線Ｙｎ（ｎ＝１〜Ｎ）とがそれぞれ接続されている。なお、データ線は「ソース線」とも呼ばれ、また、走査線は「ゲート線」とも呼ばれる。
【００２３】
走査線駆動回路１０２は、不図示のコントローラから供給される走査線駆動信号（ゲートクロックＹＣＬＫ、ゲートスタートパルスＹＳＰ）に基づいて、走査線選択信号を供給して、複数の走査線Ｙｎの中の１本を選択的に駆動して１行分の画素回路群を選択する。データ線駆動部１０３は、不図示のコントローラから供給されるデータ線駆動信号（データクロックＸＣＬＫ、データスタートパルスＸＳＰ、階調データＤＡＴＡ）に基づいて、各データ線Ｘｍを介して画素回路１１０にデータ信号を供給する。このデータ信号に応じて画素回路１１０の内部状態（後述する）が設定されると、これに応じて有機ＥＬ素子１２０に流れる電流値が制御され、この結果、有機ＥＬ素子１２０の発光の階調が制御される。
【００２４】
図３は、画素回路１１０の詳細な構成を示す回路図である。電源線１５０は、第２電源ライン（引き回し配線１０５，１０６）に接続されている。画素回路１１０内の素子駆動回路１３０は、データ線Ｘｍを介して保持キャパシタ１３３に電荷を蓄積する際に使用されるスイッチＴＦＴ１３１と、有機ＥＬ素子１２０に流れる電流値を制御するための駆動ＴＦＴ１３２と、保持キャパシタ１３３とを有している。
【００２５】
スイッチＴＦＴ１３１のゲート電極（Ｇ）は走査線Ｙｎに接続され、そのソース電極（Ｓ）は、データ線Ｘｍに接続され、そのドレイン電極（Ｄ）は、駆動ＴＦＴ１３２のゲート電極（Ｇ）および保持キャパシタ１３３の一端と接続されている。また、駆動ＴＦＴ１３２のゲート電極（Ｇ）は、スイッチＴＦＴ１３１のドレイン電極（Ｄ）および保持キャパシタ１３３の一端と接続され、そのソース電極（Ｓ）は電源線１５０と接続され、そのドレイン電極（Ｄ）は、有機ＥＬ素子１２０に接続されている。保持キャパシタ１３３は、その一端が電源線１５０に接続され、他端がスイッチＴＦＴ１３１のドレイン電極（Ｄ）と駆動ＴＦＴ１３２のゲート電極（Ｇ）間に接続されている。
【００２６】
画素回路１１０の駆動動作を説明する。図３において、走査線Ｙｎに走査線選択信号を入力してスイッチＴＦＴ１３１をオン状態とし，この状態で、データ線Ｘｍに、有機ＥＬ素子１２０の発光輝度に対応したデータ信号を入力する。これにより、データ信号は、オン状態のスイッチＴＦＴ１３１を介して保持キャパシタ１３３に保持される。この保持キャパシタ１３３の保持電圧は、駆動ＴＦＴ１３１のゲート電極（Ｇ）に印加されるので、電源線１５０に常時印加されている駆動電圧が駆動ＴＦＴ１３２により駆動電流に変換されて、そのドレイン電極（Ｄ）から有機ＥＬ素子１２０に供給される。
【００２７】
駆動電流の電流量は、保持キャパシタ１３３から駆動ＴＦＴ１３２のゲート電極（Ｇ）に印加される電圧に対応しており、有機ＥＬ素子１２０は、データ線Ｘｍに供給された信号に対応した輝度で発光することになり、この動作状態は、スイッチＴＦＴ１３１がオフ状態とされても、保持キャパシタ１３３の保持電圧により維持される。
【００２８】
以上説明したように、実施例１によれば、ロジック回路部（走査線駆動回路１０２およびデータ線駆動回路１０３）と画素アレイ部１０１とで、独立に電源ライン系（電源入力端子および引き回し配線）を設けているので、一方の消費電力が大きい場合においても、他方に影響を与えることがなく、ロジック回路部および画素アレイ部に安定した電力を供給することができる。付言すると、例えば、画素アレイ部において多大な電力が消費されるような場合においても、ロジック回路部の電位が降下して、回路が誤動作することを防止することができる。
【００２９】
なお、第１，第２電源入力端子１０４，１０５に各々接続される引き回し配線の幅を当該引き出し配線に流れる電流の大きさに応じて、異ならせることが望ましい。これにより、引き出し配線に流れる電流の大きさが大きいほど、引き出し配線の幅を大きくすることにより、配線抵抗を小さくでき、引き回し配線による電位降化が小さくなり、より安定した電力を供給することができる。例えば、画素アレイ部１０１で電力消費が多きい場合には、引き回し配線１０８，１０９の幅を、引き回し配線１０６，１０７の幅に比して大きくすることができる。
【実施例２】
【００３０】
図４は、実施例２に係る電気光学装置２００の概略構成を示す図である。図４において、図１と同等機能を有する部位には、同一符号を付し、異なる点についてのみ説明する。実施例２に係る電気光学装置２００は、図１の電気光学装置１００において、さらに、走査線駆動回路１０２とデータ線駆動部１０３とで、異なる電源ライン系を使用した構成である。
【００３１】
第１電源入力端子１１０は、第１プラス側端子ＶＬＯＧＹと、第１マイナス側端子ＧＮＤＬＹとで構成されている。また、第１’電源入力端子１１１は、第１’プラス側端子ＶＬＯＧＸと、第１’マイナス側端子ＧＮＤＬＸとで構成されている。第１プラス側端子ＶＬＯＧＹと、第１マイナス側端子ＧＮＤＬＹ、第１’プラス側端子ＶＬＯＧＸ、および第１’マイナス側端子ＧＮＤＬＸには、それぞれ引き回し配線１０６ａ，１０７ａ，１０６ｂ，１０７ｂが接続されている。
【００３２】
走査線駆動回路１０２は、引き回し配線１０６ａ，１０７ａに接続されており、この引き回し配線１０６ａ，１０７ａは、第１プラス側端子ＶＬＯＧＹ，第１マイナス側端子ＧＮＤＬＹを介して、外部の電源に接続されている。また、データ線駆動回路１０３は、引き回し配線１０６ｂ，１０７ｂに接続されており、この引き回し配線１０６ｂ，１０７ｂは、第１’プラス側端子ＶＬＯＧＸ，第１’マイナス側端子ＧＮＤＬＸを介して、外部の電源に接続されている。
【００３３】
以上説明したように、実施例２によれば、走査線駆動回路１０２とデータ線駆動部１０３とで、独立に電源ライン系（電源端子および引き回し配線）を設けているので、走査線駆動回路１０２およびデータ線駆動部１０３に安定した電力を供給することが可能となる。付言すると、例えば、一方の回路において多大な電力が消費されるような場合においても、他方の回路の電位が降下して回路が誤動作することを防止することができる。
【実施例３】
【００３４】
図５は実施例３に係る電気光学装置３００の概略構成を示す図である。図５において、図１と同等機能を有する部位には、同一符号を付し、異なる点についてのみ説明する。実施例３に係る電気光学装置３００は、図１の電気光学装置１００において、電源入力端子のプラス側端子とマイナス側端子間に、例えばダイオード等で構成される静電気防止用の静電保護回路部を設けた構成である。具体的には、図５において、第１電源入力端子１０４のプラス側端子ＶＬＯＧに接続される引き回し配線１０６と、そのマイナス側端子ＧＮＤＬに接続される引き回し配線１０７間に、静電保護回路部３０１が接続されている。また、第２電源入力端子１０５のプラス側端子ＶＰＩＸに接続される引き回し配線１０８と、そのマイナス側端子ＧＮＤＰに接続される引き回し配線１０９間に、静電保護回路部３０２が接続されている。
【００３５】
実施例３によれば、電源入力端子のプラス側端子に接続される引き回し配線とそのマイナス側端子に接続された引き回し配線間に、静電気防止用の静電保護回路部を接続しているので、プラス側端子およびマイナス側端子の一方に接続される引き回し配線に静電気が生じた場合に、他方の引き回し配線に静電気が入力して回路が破壊されるのを防止することができる。
【実施例４】
【００３６】
図６は実施例４に係る電気光学装置４００の概略構成を示す図である。図６において、図５（実施例３）と同等機能を有する部位には、同一符号を付し、異なる点についてのみ説明する。実施例４に係る電気光学装置４００は、図６に示すように、図５の電気光学装置３００において、第１電源入力端子１０４の第１プラス側端子ＶＬＯＧに接続される引き回し配線１０６と、第２電源入力端子１０５の第２プラス側端子ＶＰＩＸに接続される引き回し配線１０８間に静電保護回路部４０１を接続したものである。
【００３７】
実施例４によれば、異なる電源入力端子のプラス側端子にそれぞれ接続される引き回し配線間に静電保護回路部を設けているので、一方のプラス側端子に接続される引き回し配線に静電気が生じた場合に、他方のプラス側端子に接続される引き回し配線に静電気が入力して、他方の引き回し配線に接続される回路が破壊されるのを防止することができ、より静電気による回路の破壊を防止することができる。
【００３８】
本発明は、上記実施例１〜４に限定されるものではなく、各実施例を組み合わせて実施することも可能である。また、本発明は、有機ＥＬ素子以外の発光素子を用いた電気光学装置にも適用可能である。例えば、駆動電流に応じて発光の階調が調整可能な他の種類の発光素子（ＬＥＤやＦＥＤ（Field Emission Display）など）を有する電気光学装置にも適用することができる。
【００３９】
（電子機器への適用例）
つぎに、本発明に係る電気光学装置を適用可能な電子機器の具体例について図７〜図９を参照して説明する。図７は、本発明に係る電気光学装置を可搬型のパーソナルコンピュータ（いわゆるノート型パソコン）５００の表示部に適用した例を示す斜視図である。同図に示すように、パーソナルコンピュータ５００は、キーボード５０１を備えた本体部５０２と、本発明に係る電気光学装置を適用した表示部５０３とを備えている。
【００４０】
図８は、本発明に係る電気光学装置を携帯電話機６００の表示部に適用した例を示す斜視図である。同図に示すように、携帯電話機６００は、複数の操作ボタン６０１のほか、受話口６０２、送話口６０３とともに、本発明に係る有機ＥＬ装置を適用した表示部６０４を備えている。
【００４１】
図９は、ディジタルスチルカメラ７００の構成を示す斜視図である。なお、外部機器との接続についても簡易的に示している。通常のカメラは、被写体の光像によってフィルムを感光するのに対し、ディジタルスチルカメラ７００は、被写体の光像をＣＣＤ（Charge Coupled Device)等の撮像素子の光電変換によって撮像信号を生成するものである。ここで、ディジタルスチルカメラ７００のケース７０１の背面には、有機ＥＬ素子を用いた表示パネル７０２が設けられており、ＣＣＤによる撮像信号に基づいて表示が行われる。このため、表示パネル７０２は、被写体を表示するファイダとして機能する。また、ケース７０１の観察側（図においては裏面側）には、光学レンズやＣＣＤ等を含んだ受光ユニット７０３が設けられている。
【００４２】
ここで、撮影者が表示パネル７０２に表示された被写体像を確認して、シャッタボタン７０４を押下すると、その時点におけるＣＣＤの撮像信号が、回路基板７０５のメモリに転送・格納される。また、このディジタルスチルカメラ７００にあっては、ケース７０１の側面に、ビデオ信号出力端子７０６と、データ通信用の入出力端子７０７とが設けられている。そして、図に示されるように、前者のビデオ信号出力端子７０６には、テレビモニタ８０２が、また、後者のデータ通信用の入出力端子７０７にはパーソナルコンピュータ８０１が、それぞれ必要に応じて接続される。さらに、所定の操作によって、回路基板７０５のメモリに格納された撮像信号が、テレビモニタ８０２や、パーソナルコンピュータ８０１に出力される。
【００４３】
なお、本発明に係る電気光学装置は、上述した携帯電話機、ノートパソコン、およびデジタルカメラ以外にも、ＰＤＡ（Personal Digital Assistants）と呼ばれる携帯型情報機器、パーソナルコンピュータ、ワークステーション、車載用モニタ、デジタルビデオカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話機、およびＰＯＳ端末機などの電子機器に広く適用することができる。
【産業上の利用可能性】
【００４４】
本発明の電気光学装置は、有機ＥＬ表示装置、ＬＥＤ表示装置、ＦＥＤ表示装置、エレクトロミック調光ガラス、電子ペーパー、照明装置、プリンタヘッド、およびＬＥＤ表示装置等に広く利用可能である。また、本発明に係る電子機器は、携帯電話機、ＰＤＡ（Personal Digital Assistants）と呼ばれる携帯型情報機器、携帯型パーソナルコンピュータ、パーソナルコンピュータ、ワークステーション、デジタルスチルカメラ、車載用モニタ、デジタルビデオカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話機、およびＰＯＳ端末機などの電子機器に広く利用することができる。
【図面の簡単な説明】
【００４５】
【図１】実施例１に係る電気光学装置の概略構成を示す図。
【図２】画素アレイ部の内部構造を示す図。
【図３】画素回路の詳細な構成を示す回路図。
【図４】実施例２に係る電気光学装置の概略構成を示す図。
【図５】実施例３に係る電気光学装置の概略構成を示す図。
【図６】実施例４に係る電気光学装置の概略構成を示す図
【図７】本発明に係る電気光学装置を可搬型のパーソナルコンピュータの表示部に適用した例を示す斜視図。
【図８】本発明に係る電気光学装置を携帯電話機の表示部に適用した例を示す斜視図。
【図９】本発明に係る電気光学装置をデジタルスチルカメラの表示パネルに適用した例を示す斜視図。
【図１０】従来のＥＬ素子の駆動回路を示す図。
【符号の説明】
【００４６】
１００  電気光学装置、１０１  画素アレイ部、１０２  走査線駆動回路  １０３  データ線駆動部と、１０４  第１電源入力端子、１０５  第２電源入力端子、１０６，１０７，１０８，１０９  引き回し配線、２００，３００  電気光学装置、３０１，３０２  静電保護回路部、４００  電気光学装置、４０１  静電保護回路部、５００  パーソナルコンピュータ、５０１  キーボード、５０２  本体部、５０３  表示部、６００  携帯電話機、６０１  操作ボタン、６０２  受話口、６０３  送話口、６０４  表示部、７００  デジタルスチルカメラ、７０１  ケース、７０２  表示パネル、７０３  受光ユニット、７０４  シャッタボタン、７０５  回路基板、７０６  ビデオ信号出力端子、７０７  通信用入出力端子、８０１  パーソナルコンピュータ、８０２  テレビモニタ
【図１】
2005227336.tif 000003
【図２】
2005227336.tif 000004
【図３】
2005227336.tif 000005
【図４】
2005227336.tif 000006
【図５】
2005227336.tif 000007
【図６】
2005227336.tif 000008
【図７】
2005227336.tif 000009
【図８】
2005227336.tif 000010
【図９】
2005227336.tif 000011
【図１０】
2005227336.tif 000012